Podtech/llm-jp-corpus-v4-ja_patent huggingface dataset:
【誤訳訂正書】
【提出日】平成21年7月23日(2009.7.23)
【誤訳訂正１】
【訂正対象書類名】特許請求の範囲
【訂正対象項目名】全文
【訂正方法】変更
【訂正の内容】
【特許請求の範囲】
【請求項１】
サンプル中のＢＫウイルス（ＢＫＶ）核酸を検出する方法であって、
前記サンプルを、SEQ ID NO: １、２、４、および５のいずれか１つの標的配列またはその相補体にハイブリダイズするよう設計されたオリゴヌクレオチドと接触させ、ここで、前記オリゴヌクレオチドは、ハイブリダイゼーション条件下でＢＫＶとＪＣウイルスとを識別することができ、そして
ハイブリダイゼーションを検出する、
の各工程を含む方法。
【請求項２】
前記検出は、核酸に基づく増幅を含む、請求項１記載の方法。
【請求項３】
増幅産物は約３０ヌクレオチド長またはそれ未満である、請求項２記載の方法。
【請求項４】
前記方法は、前記サンプルをSEQ ID NO: １−５の標的配列またはその相補体の少なくとも２つとハイブリダイズするよう設計された少なくとも２つのオリゴヌクレオチドと接触させることを含み、ここで、前記オリゴヌクレオチドは、ハイブリダイゼーション条件下でＢＫＶとＪＣウイルスとを識別することができる、請求項１−３のいずれかに記載の方法。
【請求項５】
前記オリゴヌクレオチドの少なくとも１つは、SEQ ID NO: １の標的配列またはその相補体とハイブリダイズするよう設計されている、請求項１−４のいずれかに記載の方法。
【請求項６】
前記オリゴヌクレオチドの少なくとも１つは、SEQ ID NO: １のヌクレオチド１−２６、５７−９０、または９４−１１９、またはその相補体を含む、請求項５記載の方法。
【請求項７】
前記オリゴヌクレオチドの少なくとも１つは、SEQ ID NO: ２の標的配列またはその相補体とハイブリダイズするよう設計されている、請求項１−６のいずれかに記載の方法。
【請求項８】
前記オリゴヌクレオチドの少なくとも１つは、SEQ ID NO: ２のヌクレオチド３３−５０、５２−８０、または８２−１０４、またはその相補体を含む、請求項７記載の方法。
【請求項９】
前記オリゴヌクレオチドの少なくとも１つは、SEQ ID NO: ４の標的配列またはその相補体とハイブリダイズするよう設計されている、請求項１−８のいずれかに記載の方法。
【請求項１０】
前記オリゴヌクレオチドの少なくとも１つは、SEQ ID NO: ４のヌクレオチド１−１９、３２−６２、または７６−９５、またはその相補体を含む、請求項９記載の方法。
【請求項１１】
前記オリゴヌクレオチドの少なくとも１つは、SEQ ID NO: ５の標的配列またはその相補体とハイブリダイズするよう設計されている、請求項１−１０のいずれかに記載の方法。
【請求項１２】
前記オリゴヌクレオチドの少なくとも１つは、SEQ ID NO: ５のヌクレオチド２−１８、１９−４１、または４７−６４、またはその相補体を含む、請求項１１記載の方法。
【請求項１３】
前記オリゴヌクレオチドの少なくとも１つは、縮重オリゴヌクレオチドである、請求項１−１２のいずれかに記載の方法。
【請求項１４】
前記オリゴヌクレオチドの少なくとも１つは検出可能な標識を含む、請求項１−１３のいずれかに記載の方法。
【請求項１５】
前記検出可能な標識は蛍光体である、請求項１４記載の方法。
【請求項１６】
下記のいずれか：
SEQ ID NO: １またはその相補体、ここで、前記オリゴヌクレオチドは１５１ヌクレオチド長以下である、
SEQ ID NO: ２またはその相補体、ここで、前記オリゴヌクレオチドは１２８ヌクレオチド長以下である、
SEQ ID NO: ４またはその相補体、ここで、前記オリゴヌクレオチドは２５３ヌクレオチド長以下である、および
SEQ ID NO: ５またはその相補体、ここで、前記オリゴヌクレオチドは８６ヌクレオチド長以下である、
の少なくとも２０個の連続するヌクレオチドを含む単離された核酸。
【請求項１７】
前記核酸はさらに検出可能な標識を含む、請求項１６記載の核酸。
【誤訳訂正２】
【訂正対象書類名】明細書
【訂正対象項目名】０１２２
【訂正方法】変更
【訂正の内容】
【０１２２】
サンプル中のＢＫＶの検出
ある観点では、アッセイはサンプル中のＢＫＶの存在を検出する。それらの観点では、アッセイは縮重プライマーおよびプローブを使用する、増幅に基づくアッセイであり、プライマーおよびプローブはＢＫＶゲノムの標的核酸配列領域を増幅するように設計する。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
レセプター結合部位内にアミノ酸置換を含むインフルエンザウイルスヘマグルチニン（HA）分子であって、前記アミノ酸置換が、そのレセプター結合部位内にアミノ酸置換を欠くHA分子に特異的な抗体に対してHA分子をより抗原性にする、前記インフルエンザウイルスヘマグルチニン（HA）分子。
【請求項２】
H5 HAの223位に対応する位置にアミノ酸のアスパラギンを含む請求項1に記載のインフルエンザウイルスHA分子であって、アスパラギンを含むことが、野生型HA分子をもつインフルエンザウイルスに暴露された動物由来の抗血清との反応性増加をもたらす、請求項１に記載のインフルエンザウイルスHA分子。
【請求項３】
H5 HAの223位に対応する位置にアミノ酸のアスパラギンを含む請求項1に記載のインフルエンザウイルスHA分子であって、HA分子が、ヒトH5単離株A/HK/213/03に由来せず、さらに、223位にアスパラギンを含むことが、インフルエンザウイルスに暴露された動物由来の抗血清との反応性増加をもたらす、請求項1に記載のインフルエンザウイルスHA分子。
【請求項４】
インフルエンザウイルスがヒトインフルエンザAウイルスである、請求項1に記載のインフルエンザウイルスHA分子。
【請求項５】
ヒトインフルエンザAウイルスがH5サブタイプのメンバーである、請求項４に記載のインフルエンザウイルスHA分子。
【請求項６】
請求項1に記載のインフルエンザウイルスHA分子を含む、組換えインフルエンザウイルス。
【請求項７】
請求項1に記載のインフルエンザウイルスHA分子を含むウイルスを製造するための逆遺伝学システム。
【請求項８】
インフルエンザウイルスHA分子が、インフルエンザAウイルスの遺伝的背景においてH5N1インフルエンザウイルスから誘導される、請求項６に記載の組換えインフルエンザウイルス。
【請求項９】
請求項1に記載のHA分子を含むウイルスを作製する方法であって、前記方法が、請求項1に記載のインフルエンザウイルスHA分子を発現する組換えベクターを逆遺伝学システムで導入することを含む、前記作製方法。
【請求項１０】
動物由来の抗血清を診断用参照ウイルスと反応させることを含む、動物がインフルエンザウイルスに暴露されたか否かを決定する方法であって、前記参照ウイルスは問題のインフルエンザウイルスに由来するが、レセプター結合部位内に1つ又は2つ以上のアミノ酸置換を含むインフルエンザウイルスヘマグルチニン（HA）分子を含み、前記置換は、そのレセプター結合部位内にアミノ酸置換を欠くHA分子に特異的な抗体に対してHA分子をより抗原性にして抗血清との反応性増加をもたらす、前記決定方法。
【請求項１１】
動物由来の抗血清を診断用参照ウイルスと反応させることを含む、動物がインフルエンザウイルスに暴露されたか否かを決定する方法であって、前記参照ウイルスは問題のインフルエンザウイルスに由来するが、H5 HAの223位に対応する位置にアミノ酸のアスパラギンを含むインフルエンザウイルスHA分子を含み、アスパラギンを含むことが、野生型HA分子をもつインフルエンザウイルスに暴露された動物由来の抗血清との反応性を高めて抗血清との反応性の増加をもたらす、前記決定方法。
【請求項１２】
動物由来の抗血清を診断用参照ウイルスと反応させることを含む、動物がインフルエンザウイルスに暴露されたか否かを決定する方法であって、前記参照ウイルスは問題のインフルエンザウイルスに由来するが、H5 HAの223位に対応する位置にアミノ酸のアスパラギンを含む請求項1に記載のインフルエンザウイルスHA分子を含み、前記HA分子はヒトH5単離株A/HK/213/03に由来せず、さらに223位にアスパラギンを含むことが、インフルエンザウイルスに暴露された動物由来の抗血清との反応性の増加をもたらす、前記決定方法。
【請求項１３】
レセプター結合部位内にアミノ酸置換を含むヘマグルチニン（HA）分子を含むインフルエンザワクチンウイルスであって、前記置換が、レセプター結合部位内のアミノ酸置換を欠くHA分子に特異的な抗体に対してHA分子をより抗原性にし、前記改変が前記ワクチンウイルスの免疫原性増加をもたらす、前記インフルエンザワクチンウイルス。
【請求項１４】
請求項1に記載のインフルエンザウイルスHA分子をコードする、単離核酸。
【請求項１５】
請求項3に記載のインフルエンザウイルスHA分子をコードする、単離核酸。
【請求項１６】
HA分子が、H5 HAの223位に対応する位置にアスパラギンを含む、請求項１０に記載の方法。
【請求項１７】
インフルエンザワクチンウイルスが、H5 HAの223位に対応する位置にアスパラギンアミノ酸を含むHA分子を含む、請求項１３に記載のインフルエンザワクチンウイルス。
【請求項１８】
インフルエンザウイルス感染の治療用医薬の製造における、請求項１から５のいずれかに記載のインフルエンザウイルスHA分子の使用。
【請求項１９】
インフルエンザウイルス感染の治療用医薬の製造における、請求項１から５のいずれかに記載のインフルエンザウイルスHA分子を含む組換えインフルエンザウイルスの使用。
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
試料に対して、型非特異的にHPV標的配列を増幅することを意図する核酸増幅反応を実施する工程；
任意の増幅産物から一本鎖オリゴヌクレオチドを得る工程；
一本鎖オリゴヌクレオチドを、試料を収容するのに適した反応容器内に配置された固体支持体上に供されている複数のHPV型特異的プローブと可能な部位でハイブリダイズさせる工程；及び
ハイブリダイズしたオリゴヌクレオチドを検出する工程；
を含む、試料中のヒトパピローマウイルス（HPV）を検出及び分類するためのアッセイ。
【請求項２】
核酸増幅工程が、固体支持体上のHPV型特異的プローブと接触している反応容器内の試料に対して実施される、請求項１に記載のアッセイ。
【請求項３】
プローブが20〜40ntの長さである、請求項１または２に記載のアッセイ。
【請求項４】
プローブがHPVのL1領域に特異的である、請求項１から３のいずれか一項に記載のアッセイ。
【請求項５】
1つ以上のプローブが配列番号1〜配列番号133を含む群から選択される、請求項１から４のいずれか一項に記載のアッセイ。
【請求項６】
複数のHPV型特異的プローブが固定化された固体支持体を含み、且つ固体支持体と接触している試料を収容するのに適した、試料中のHPVを検出及び分類するためのアッセイを実施するための反応容器。
【請求項７】
すべてのプローブに対して同じハイブリダイゼーション条件下で、HPV標的配列に特異的に結合するようにプローブが選択される、請求項６に記載の容器。
【請求項８】
1つ以上のプローブが配列番号1〜配列番号133を含む群から選択される、請求項６または７に記載の容器。
【請求項９】
請求項６から８のいずれか一項に記載の反応容器を、
i）DNA抽出及び/または精製用の試薬；
ii）核酸増幅用混合物；
iii）反応容器のプローブへの核酸のハイブリダイゼーションを視覚化するのに用いる試薬；
の1つ以上と組み合わせて含む、HPVの検出及び分類用キット。
【請求項１０】
増幅用混合物が、HPV型特異的プローブを有する固体支持体を含む反応容器とは別個の反応容器中で提供される、請求項９に記載のキット。
【請求項１１】
配列番号1〜133から選択される、HPVの検出及び分類用のプローブ。
【誤訳訂正書】
【提出日】平成20年12月25日(2008.12.25)
【誤訳訂正１】
【訂正対象書類名】明細書
【訂正対象項目名】００１８
【訂正方法】変更
【訂正の内容】
【００１８】
Ｌｙｓｎシグナルペプチドのアミノ酸配列は、以下の通りである。
配列番号６：ＭＫＫＴＫＮＮＹＹＴ  ＲＰＬＡＩＧＬＳＴＦ  ＡＬＡ
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
ＳＰ１ポリペプチドのアミノ酸配列を含む単離されたポリペプチドであって、前記アミノ酸配列が、物質との可逆的な分子的会合の状態であるように変性され、前記ＳＰ１ポリペプチドは以下の特徴を有する単離されたポリペプチド：
（ｉ）配列番号１に対して少なくとも６５％のアミノ酸相同性を有する；
（ｉｉ）安定なダイマーを形成することができる；及び
（ｉｉｉ）少なくとも１つの保存されたアミノ酸配列を、配列番号１のアミノ酸９〜１１、アミノ酸４４〜４６および／またはアミノ酸６５〜７３に対応する少なくとも１つの領域に有する。
【請求項２】
配列番号２〜配列番号３０に示されるようなアミノ酸配列を含む単離されたポリペプチド。
【請求項３】
配列番号２〜配列番号３０に示されるようなアミノ酸配列を有するポリペプチドをコードする核酸配列を含む単離されたポリヌクレオチド。
【請求項４】
請求項１に記載のポリペプチドをコードする単離されたポリヌクレオチド。
【請求項５】
複数の自己集合した変性ＳＰ１モノマーを含む組成物。
【請求項６】
変性ＳＰ１ポリペプチドとの分子的会合の状態にある治療薬、診断用薬または化粧剤を含む単離された組成物。
【請求項７】
治療薬、診断用薬または化粧剤との可逆的な分子的会合の状態でＳＰ１ポリペプチドを含む単離された組成物。
【請求項８】
変性ＳＰ１ポリペプチドとの分子的会合の状態にある導電性物質または半導電性物質を含む単離された組成物。
【請求項９】
導電性物質または半導電性物質との可逆的な分子的会合でのＳＰ１ポリペプチドを含む単離された組成物。
【請求項１０】
前記ＳＰ１ポリペプチドは前記治療薬、診断用薬または化粧剤に翻訳融合される請求項６に記載の組成物。
【請求項１１】
前記ＳＰ１ポリペプチドは前記治療薬、診断用薬または化粧剤に翻訳融合されない請求項６または７に記載の組成物。
【請求項１２】
治療薬、診断用薬または化粧剤をその必要性のある対象に送達するための医薬品を製造するための、請求項６または７に記載の組成物の使用。
【請求項１３】
前記分子的会合は可逆的な分子的会合である請求項１２に記載の使用。
【請求項１４】
物質を安定化させる方法であって、物質を、前記物質との複合体を可逆的に形成するために変性されたＳＰ１ポリペプチドと接触させ、その結果、複合体を形成させ、それにより、物質を安定化させることを含む方法。
【請求項１５】
前記複合体を溶媒と接触させ、その結果、溶液を形成する工程をさらに含む請求項１４に記載の方法。
【請求項１６】
前記安定性は、温度安定性、イオン強度安定性、プロテアーゼ安定性および触媒作用安定性からなる群から選択される特性を含む請求項１４に記載の方法。
【請求項１７】
溶液における物質の溶解性を高める方法であって、
（ａ）物質を、前記物質との複合体を可逆的に形成することができるＳＰ１ポリペプチドと接触させ、その結果、複合体を形成すること；および、
（ｂ）前記複合体を、溶媒を用いて溶解し、その結果、溶液を形成し、それにより、溶液における物質の溶解性を高めること
を含む方法。
【請求項１８】
前記溶媒は水性溶媒または有機溶媒である請求項１７に記載の方法。
【請求項１９】
前記ＳＰ１ポリペプチドはオリゴマー形成によって特徴付けられ、前記ＳＰ１オリゴマーは熱安定性でかつプロテアーゼ抵抗性のオリゴマーである、請求項１に記載の単離されたポリペプチド。
【請求項２０】
前記ＳＰ１ポリペプチドは、変性アミノ酸配列を有するＳＰ１ポリペプチドである請求項５〜９のいずれか１項に記載の組成物。
【請求項２１】
前記変性は、ジスルフィド結合を形成することができる少なくとも１つのアミノ酸の付加を含む、請求項１に記載の単離されたポリペプチド。
【請求項２２】
前記変性は、配列番号１のアミノ酸残基２に対応する位置における少なくとも２つのヒスチジン残基の付加を含む、請求項１に記載の単離されたポリペプチド。
【請求項２３】
前記変性は、配列番号１のアミノ酸残基４０に対応する位置における、少なくとも１つのチオール基を有する少なくとも１つのアミノ酸の付加を含む、請求項１に記載の単離されたポリペプチド。
【請求項２４】
前記薬剤との前記分子的会合または前記複合体を形成することはレドックス依存的である、請求項１に記載の単離されたポリペプチド。
【請求項２５】
前記変性は、配列番号１のアミノ酸残基２またはアミノ酸残基４０に対応する位置におけるシステイン残基の付加である、請求項２１に記載の単離されたポリペプチド。
【請求項２６】
前記物質は、治療薬、診断用薬または化粧剤である、請求項１に記載の単離されたポリペプチド。
【請求項２７】
前記治療薬、診断用薬または化粧剤は、ポリペプチド剤、核酸剤、脂質剤、炭水化物剤、小分子、および、それらの組合せからなる群から選択される、請求項２６に記載の単離されたポリペプチド。
【請求項２８】
前記物質は、導電性または半導電性のイオン性物質である、請求項１に記載の単離されたポリペプチド。
【請求項２９】
前記導電性または半導電性のイオン性物質は、金属、半導体および誘電体からなる群から選択される、請求項８または９に記載の組成物。
【請求項３０】
前記変性アミノ酸配列は、配列番号２〜配列番号３０に示される通りである、請求項８または９に記載の組成物。
【請求項３１】
前記アミノ酸配列は、標的認識配列を含むように変性される、請求項１に記載の単離されたポリペプチド。
【請求項３２】
前記標的認識配列はガン細胞表面またはガン細胞血管系を認識する配列である請求項３１に記載の単離されたポリペプチド。
【請求項３３】
前記標的認識配列は配列番号３１〜配列番号６２からなる群から選択されるガン細胞表面認識配列である請求項３２に記載の単離されたポリペプチド。
【請求項３４】
前記標的認識配列は、配列番号６３〜配列番号８１からなる群から選択されるガン細胞血管系認識配列である請求項３２に記載の単離されたポリペプチド。
【請求項３５】
前記ガン細胞血管認識配列はＣＲＧＤ配列である請求項３２に記載の単離されたポリペプチド。
【請求項３６】
前記分子的会合は共有結合性の会合である請求項６または８に記載の組成物。
【請求項３７】
前記分子的会合は非共有結合性の会合である請求項６または８に記載の組成物。
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
超高圧力（ＵＨＰ）条件下で、フルーツ・パルプ中の天然ペクチンが実質的にペクチン・メチルエステラーゼ（ＰＭＥ）酵素の働きによって脱メトキシ化されていることを特徴とする、包装された、長期保存安定性を有する、ゲル状の天然フルーツ・パルプ。
【請求項２】
前記フルーツ・パルプが、マンゴー、イチゴ、キウィフルーツ、パパイヤ、パイナップル、アプリコット、桃、ネクタリン、さくらんぼ、ブルーベリー、ラズベリー、リンゴ、ナシ、クリ、バナナ、ブラックベリー、クランベリー、パッションフルーツ、グレープフルーツ、マンダリン、オレンジ、メロン、ブドウ、およびこれらの組合せからなる群より選択されるフルーツを、約５０重量％以上の割合で包含することを特徴とする請求項１記載の包装された天然フルーツ・パルプ。
【請求項３】
７０重量％以上の水分、および
約１０重量％未満の不溶性食物繊維、
を含むことを特徴とする請求項１または２に記載の包装された天然フルーツ・パルプ。
【請求項４】
前記脱メトキシ化されたペクチンのゲル形成を促進する目的で、さらに２価の金属イオン塩が添加されていることを特徴とする請求項１〜３のいずれか１項に記載の包装された天然フルーツ・パルプ。
【請求項５】
前記フルーツ・パルプのｐＨ値が約４．５未満であることを特徴とする請求項１〜４のいずれか１項に記載の包装された天然フルーツ・パルプ。
【請求項６】
前記フルーツ・パルプに、安定性を増進する目的で、抗酸化剤が添加されていることを特徴とする請求項１〜５のいずれか１項に記載の包装された天然フルーツ・パルプ。
【請求項７】
前記フルーツ・パルプが、果肉および添加されるＰＭＥから実質的になることを特徴とする請求項１〜６のいずれか１項に記載の包装された天然フルーツ・パルプ。
【請求項８】
天然フルーツもしくは野菜原料を少なくとも約９８重量％含むことを特徴とする請求項７に記載の包装された天然フルーツ・パルプ。
【請求項９】
包装材に柔軟性のあるフィルムのパウチを含むことを特徴とする請求項１〜８のいずれか１項に記載の包装された天然フルーツ・パルプ。
【請求項１０】
少なくとも６週間、周囲安定性を有することを特徴とする請求項１〜９のいずれか１項に記載の包装された天然フルーツ・パルプ。
【請求項１１】
第１の安定化されたゲル状のフルーツ・パルプが包装材の第１領域を満たし、第２の安定化されたフルーツ・パルプが該包装材の第２領域を満たし、それによって、当該フルーツ・パルプが、別個の第１および第２領域を有する、一体となった包装済みの安定化されたフルーツ生成物を形成することを特徴とする請求項１〜１０のいずれか１項に記載の包装された天然フルーツ・パルプ。
【請求項１２】
第２のフルーツ・パルプが前記生成物の核を形成し、前記ゲル状のフルーツ・パルプが当該核を実質的に包み込む殻を形成することを特徴とする請求項１１記載の包装された天然フルーツ・パルプ。
【請求項１３】
包装された、周囲安定的な天然フルーツ生成物の調製方法であって、
（ａ）生のフルーツを粉砕して第１の生のフルーツ・パルプを提供し、
（ｂ）ＰＭＥ酵素を該第１の生のフルーツ・パルプに添加し、
（ｃ）該第１の生のフルーツ・パルプおよびＰＭＥを、シールされた、実質的に酸素不透過性の容器で包装し、
（ｄ）超高圧力（ＵＨＰ）下で生のフルーツ・パルプおよびＰＭＥを定温放置し、該フルーツ・パルプ中の天然フルーツペクチンを脱メトキシ化し、それによってフルーツ・パルプを寸法安定性のあるゲルの棒状の態様に変え、得られた生成物を長期保存可能にする、
各工程を有してなる、調製方法。
【請求項１４】
請求項１〜１２のいずれか１項に記載の包装された天然フルーツパルプを調製する目的で行うことを特徴とする請求項１３に記載の調製方法。
【請求項１５】
前記定温放置し、安定化し、長期保存化する工程を、ｐＨ約４．５以下の生成物に、少なくとも約３５０ＭＰａで少なくとも約５分間、ＵＨＰを適用することによって行うことを特徴とする請求項１４に記載の調製方法。
【請求項１６】
フルーツ・パルプに対する長期保存化の工程を、８５℃を超える温度で行わないことを特徴とする請求項１３または１４に記載の調製方法。
【請求項１７】
ＵＨＰ下で行う定温放置する工程が、
約１５℃〜約４５℃の温度に自動調節されたＵＨＰ圧力容器内で行うことを特徴とする請求項１６に記載の調製方法。
【請求項１８】
第２の生のフルーツを粉砕して第２の生のフルーツ・パルプを提供する工程をさらに含み、
前記包装工程が、前記包装容器をシールし定温放置する工程に先駆けて、該包装容器内に第１のフルーツ・パルプの領域と接触して、第２のフルーツ・パルプの領域を包装することを含むことを特徴とする請求項１３〜１７のいずれか１項に記載の調製方法。
【請求項１９】
前記包装工程が、前記第１フルーツ・パルプが前記第２フルーツ・パルプの核領域の周りに殻を形成するように、同心充填チューブを通じて、前記第１および第２フルーツ・パルプを、前記包装容器に充填することを包含することを特徴とする請求項１８に記載の方法。
【請求項２０】
前記第１および第２フルーツ・パルプがそれぞれ異なる色を有することを特徴とする請求項１８または１９に記載の方法。
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
遺伝子組み換え植物細胞のデンプンのリン酸塩含有量を、遺伝子組み換えしない野生型の対応する植物細胞由来のデンプン（１００％）と比較して、１５０〜５００％に増加させるプロセスであって、
ａ）可溶性デンプン合成酵素IIをコードする外来核酸分子を導入することにより、植物細胞の遺伝子組み換えを行い、および
ｂ）この可溶性デンプン合成酵素IIを過剰発現させる、
プロセス。
【請求項２】
前記外来核酸分子が、異種の可溶性デンプン合成酵素IIのコーディング領域である、請求項１記載のプロセス。
【請求項３】
前記可溶性デンプン合成酵素IIが、単子葉植物由来の可溶性デンプン合成酵素IIである、請求項１記載のプロセス。
【請求項４】
前記可溶性デンプン合成酵素IIが、小麦由来の可溶性デンプン合成酵素IIである、請求項１記載のプロセス。
【請求項５】
前記可溶性デンプン合成酵素IIが、配列番号１に示すヌクレオチド配列を有する、請求項１記載のプロセス。
【請求項６】
前記遺伝子組み換え植物細胞が、ジャガイモ、トウモロコシまたはイネ細胞である、請求項１〜５のいずれか１項に記載のプロセス。
【請求項７】
ＤＳＣ  Ｔ−開始温度が７０℃〜８０℃である米デンプン。
【請求項８】
前記ＤＳＣ  Ｔ−開始温度が７２℃〜７９℃である、請求項７記載の米デンプン。
【請求項９】
請求項７または８記載の米デンプンを含む誘導体化米デンプン。
【請求項１０】
請求項７〜９のいずれか１項に記載の米デンプンを含む組成物。
【請求項１１】
請求項７または８記載の米デンプンを含む米粉。
【請求項１２】
請求項１０記載の米粉を含む組成物。
【請求項１３】
請求項７または８記載の米デンプンを含む米粒。
【請求項１４】
請求項１３記載の少なくとも１つの米粒を含む組成物。
【請求項１５】
請求項１３記載の少なくとも１つの米粒を成長させ、および／または請求項７または８記載の米デンプンを含む、イネ。
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
患者由来の生物学的試料における小細胞肺癌関連遺伝子の発現レベルを決定する段階を含み、該試料における発現レベルが該遺伝子の正常対照レベルと比較して増加していることが、対象が小細胞肺癌を患っているか又は小細胞肺癌を発症する危険があることを示す、対象における小細胞肺癌を検出する方法であって、小細胞肺癌関連遺伝子がZIC5である方法。
【請求項２】
試料の発現レベルが正常対照レベルよりも少なくとも10％高い、請求項1記載の方法。
【請求項３】
遺伝子の発現レベルが、
（a）小細胞肺癌関連遺伝子のmRNAの検出、
（b）小細胞肺癌関連遺伝子によりコードされるタンパク質の検出、及び
（c）小細胞肺癌関連遺伝子によりコードされるタンパク質の生物学的活性の検出
からなる群より選択される方法により決定される、請求項1記載の方法。
【請求項４】
検出がDNAアレイを用いて行われる、請求項3記載の方法。
【請求項５】
生物学的試料が上皮細胞を含む、請求項1記載の方法。
【請求項６】
生物学的試料が肺組織を含む、請求項1記載の方法。
【請求項７】
生物学的試料が肺組織由来の上皮細胞を含む、請求項1記載の方法。
【請求項８】
（a）ZIC5によりコードされるポリペプチドと試験化合物を接触させる段階、
（b）該ポリペプチドと試験化合物の間の結合活性を検出する段階、及び
（c）該ポリペプチドに結合する試験化合物を選択する段階、
を含む、小細胞肺癌を治療又は予防するための化合物のスクリーニング方法。
【請求項９】
（a）ZIC5を発現する細胞と候補化合物を接触させる段階、及び
（b）候補化合物の非存在下で検出される発現レベルと比較して、ZIC5の発現レベルを減少させる候補化合物を選択する段階、
を含む、小細胞肺癌を治療又は予防するための化合物のスクリーニング方法。
【請求項１０】
該細胞が小細胞肺癌細胞を含む、請求項9記載の方法。
【請求項１１】
（a）ZIC5によりコードされるポリペプチドと試験化合物を接触させる段階、
（b）段階（a）のポリペプチドの生物学的活性を検出する段階、及び
（c）(b)の生物学的活性を、試験化合物の非存在下で検出される該ポリペプチドの生物学的活性と比較して抑制する試験化合物を選択する段階、
を含む、小細胞肺癌を治療又は予防するための化合物のスクリーニング方法。
【請求項１２】
（a）ZIC5の転写調節領域及び該転写調節領域の制御下で発現されるレポーター遺伝子を含むベクターが導入された細胞と候補化合物を接触させる段階、
（b）レポーター遺伝子の発現又は活性を測定する段階、及び
（c）試験化合物の非存在下で検出される該レポーター遺伝子の発現レベル又は活性レベルと比較して、該レポーター遺伝子の発現又は活性を減少させる候補化合物を選択する段階、
を含む、小細胞肺癌を治療又は予防するための化合物のスクリーニング方法。
【請求項１３】
（a）ZIC5又は（b）それによってコードされるポリペプチドに結合する検出試薬を含む小細胞肺癌検出用キット。
【請求項１４】
ZIC5に結合する二つまたはそれ以上の核酸を含む小細胞肺癌検出用アレイ。
【請求項１５】
ZIC5に対する薬学的有効量のアンチセンスポリヌクレオチドを含む、小細胞肺癌を治療又は予防するための組成物。
【請求項１６】
ZIC5によりコードされるタンパク質に結合する薬学的有効量の抗体又はそれらの断片を含む、小細胞肺癌を治療又は予防するための組成物。
【請求項１７】
標的配列がSEQ ID NO：175のヌクレオチド配列由来の少なくとも約19個の連続するヌクレオチドを含み、アンチセンス鎖がセンス鎖に相補的なリボヌクレオチド配列を含み、センス鎖及びアンチセンス鎖が互いにハイブリダイズして二重鎖分子を形成し、該二重鎖分子がZIC5遺伝子を発現する細胞に導入された場合に該遺伝子の発現を阻害する、センス鎖及びアンチセンス鎖を含む二重鎖分子。
【請求項１８】
標的配列がSEQ ID NO：175のヌクレオチド配列由来の約19〜約25個の連続するヌクレオチドを含む、請求項17記載の二重鎖分子。
【請求項１９】
センス鎖がSEQ ID NO：171からなる標的配列に対応するリボヌクレオチド配列を含み、アンチセンス鎖がセンス鎖に相補的なリボヌクレオチド配列を含み、センス鎖及びアンチセンス鎖が互いにハイブリダイズして二重鎖分子を形成し、該二重鎖分子がZIC5遺伝子を発現する細胞に導入された場合に該遺伝子の発現を阻害する、センス鎖及びアンチセンス鎖を含む二重鎖分子。
【請求項２０】
単鎖リボヌクレオチド配列を介して連結されたセンス鎖及びアンチセンス鎖を含む単一のリボヌクレオチド転写物である、請求項18記載の二重鎖分子。
【請求項２１】
二重鎖分子が約19〜約25ヌクレオチド長のオリゴヌクレオチドである、請求項19記載の二重鎖分子。
【請求項２２】
請求項17記載の二重鎖分子をコードするベクター。
【請求項２３】
二次構造を有する転写物をコードし、かつセンス鎖及びアンチセンス鎖を含む、請求項22記載のベクター。
【請求項２４】
転写物がセンス鎖とアンチセンス鎖を連結する単鎖リボヌクレオチド配列をさらに含む、請求項23記載のベクター。
【請求項２５】
センス鎖核酸及びアンチセンス鎖核酸の組み合わせを含むポリヌクレオチドを含むベクターであって、該センス鎖核酸がSEQ ID NO：171のヌクレオチド配列を含み、該アンチセンス鎖核酸がセンス鎖に相補的な配列からなるベクター。
【請求項２６】
前記ポリヌクレオチドが一般式5'-[A]-[B]-[A']-3'を有し、式中、[A]はSEQ ID NO：171のヌクレオチド配列であり、[B]は3〜23個のヌクレオチドからなるヌクレオチド配列であり、[A']は[A]に相補的なヌクレオチド配列である、請求項25記載のベクター。
【請求項２７】
有効成分としてZIC5の発現を阻害する薬学的有効量の低分子干渉RNA（siRNA）、及び薬学的に許容される担体を含む、小細胞肺癌を治療又は予防するための薬学的組成物。
【請求項２８】
siRNAが標的配列としてSEQ ID NO：171からなるヌクレオチド配列を含む、請求項27記載の薬学的組成物。
【請求項２９】
siRNAが一般式5'-[A]-[B]-[A']-3'を有し、式中、[A]はSEQ ID NO：171のヌクレオチド配列に対応するリボヌクレオチド配列であり、[B]は3〜23個のヌクレオチドからなるリボヌクレオチド配列であり、[A']は[A]に相補的なリボヌクレオチド配列である、請求項28記載の組成物。
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
ECT2に対する、siRNAまたはアンチセンスポリヌクレオチドの薬学的有効量を含む、食道癌を治療または予防するための組成物。
【請求項２】
siRNAが配列番号：8、および9のヌクレオチド配列からなる群より選択されるヌクレオチド配列を含むセンス鎖を含む、請求項1記載の組成物。
【請求項３】
ECT2の発現を阻害するsiRNAであって、該siRNAの標的配列が配列番号：8、および9のヌクレオチド配列からなる群より選択されるヌクレオチド配列を含むsiRNA。
【請求項４】
食道癌を治療または予防するための化合物をスクリーニングする方法であって、以下の段階を含む方法：
（a）試験化合物を、ECT2によってコードされるポリペプチドと接触させる段階；
（b）該ポリペプチドと試験化合物との間の結合活性を検出する段階；および
（c）該ポリペプチドに結合する試験化合物を選択する段階。
【請求項５】
食道癌を治療または予防するための化合物をスクリーニングする方法であって、以下の段階を含む方法：
（a）候補化合物を、ECT2を発現する細胞と接触させる段階；ならびに
（b）候補化合物の非存在下で検出される発現レベルと比較して、ECT2の発現レベルを低下させる候補化合物を選択する段階。
【請求項６】
細胞が食道癌細胞を含む、請求項5記載の方法。
【請求項７】
食道癌を治療または予防するための化合物をスクリーニングする方法であって、以下の段階を含む方法：
（a）試験化合物を、ECT2によってコードされるポリペプチドと接触させる段階；
（b）段階（a）のポリペプチドの生物学的活性を検出する段階；ならびに
（c）試験化合物の非存在下で検出される該ポリペプチドの生物学的活性と比較して、ECT2によってコードされるポリペプチドの生物学的活性を抑制する試験化合物を選択する段階。
【請求項８】
食道癌を治療または予防するための化合物をスクリーニングする方法であって、以下の段階を含む方法：
（a）候補化合物を、ECT2の転写調節領域および該転写調節領域の制御下で発現されるレポーター遺伝子を含むベクターが導入された細胞と接触させる段階；
（b）該レポーター遺伝子の発現レベルまたは活性を測定する段階；ならびに
（c）候補化合物の非存在下で検出される発現レベルまたは活性と比較して、該レポーター遺伝子の発現レベルもしくは活性を低下させる候補化合物を選択する段階。
【請求項９】
患者由来の生物学的試料における食道癌関連遺伝子の発現のレベルを決定する段階を含む、対象における食道癌を検出する方法であって、該遺伝子の正常対照の発現レベルと比較して該試料の発現レベルの増加または減少によって、該対象が食道癌を罹患するかまたは食道癌を発症するリスクを有することが示される、方法であって、食道癌関連遺伝子がECT2である方法。
【請求項１０】
試料発現レベルが正常対照レベルよりも少なくとも10％高い、請求項9記載の方法。
【請求項１１】
食道癌が食道扁平上皮癌である、請求項9記載の方法。
【請求項１２】
生物学的試料が上皮細胞を含む、請求項9記載の方法。
【請求項１３】
生物学的試料が食道由来の細胞を含む、請求項9記載の方法。
【請求項１４】
生物学的試料が食道癌由来の上皮細胞を含む、請求項9記載の方法。
【請求項１５】
遺伝子発現レベルが、以下からなる群より選択される方法によって決定される、請求項9記載の方法：
（a）食道癌関連遺伝子のmRNAを検出すること、
（b）食道癌関連遺伝子によってコードされるタンパク質を検出すること、および
（c）食道癌関連遺伝子によってコードされるタンパク質の生物学的活性を検出すること。
【請求項１６】
（a）ECT2、または（b）それによってコードされるポリペプチド、に結合する食道癌検出用試薬を含むキット。
【請求項１７】
ECT2に結合する2つまたはそれ以上の核酸を含む食道癌検出用アレイ。
【請求項１８】
ECT2によってコードされるタンパク質に結合する抗体またはその断片の薬学的有効量を含む、食道癌を治療または予防するための組成物。
【手続補正２】
【補正対象書類名】明細書
【補正対象項目名】０２０４
【補正方法】変更
【補正の内容】
【０２０４】
本発明のキットは、陽性対照試料またはDKK1標準試料をさらに含んでもよい。DKK1陽性血液試料を採集することによって本発明の陽性対照試料を調製してもよく、その後それらのDKK1レベルをアッセイする。あるいは、精製されたDKK1タンパク質またはポリヌクレオチドをDKK1を含まない血清に添加し、陽性試料またはDKK1標準を形成してもよい。本発明において、精製されたDKK1は組換えタンパク質であってもよい。陽性対照試料のDKK1レベルは、例えばカットオフ値を上回る。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
軸部と、
使用時にツイストドリルの回転中心となる回転軸と、
切削刃を有する切削先端部とを具備し、該切削刃の内側切削部が先端を形成し、該先端の角度が１１０度から１６０度であり、
前記切削刃の径方向外側部分は、前記内側切削部に対し軸方向に反対向きに傾斜する外側切削部を含むことを特徴とするツイストドリル。
【請求項２】
前記先端の角度が１２５度から１６０度であることを特徴とする請求項１記載のツイストドリル。
【請求項３】
前記先端の角度が１２８度から１６０度であることを特徴とする請求項１記載のツイストドリル。
【請求項４】
前記先端の角度が１３０度から１６０度であることを特徴とする請求項１記載のツイストドリル。
【請求項５】
前記外側切削部は、前記回転軸に直角な平面に対して２度から８度の角度で傾斜していることを特徴とする請求項１〜４のいずれか一項記載のツイストドリル。
【請求項６】
前記外側切削部の幅は、ツイストドリルの直径の５％から１５％であることを特徴とする請求項１〜５のいずれか一項記載のツイストドリル。
【請求項７】
筒状のランド部を備え、前記外側切削部は、前記筒状ランド部の最も外側の縁まで延設されていることを特徴とする請求項１〜６のいずれか一項記載のツイストドリル。
【請求項８】
前記外側切削部の最も径方向外側部分は、前記切削先端部の外縁上に在ることを特徴とする請求項１〜７のいずれか一項記載のツイストドリル。
【請求項９】
前記外側切削部と前記先端とが対向配置されることを特徴とする請求項１〜８のいずれか一項記載のツイストドリル。
【請求項１０】
タングステンカーバイドから成ることを特徴とする請求項１〜９のいずれか一項記載のツイストドリル。
【請求項１１】
金属からなる基材に多結晶ダイヤモンドが被覆されていることを特徴とする請求項１〜１０のいずれか一項記載のツイストドリル。
【請求項１２】
軸部と、
使用時にツイストドリルの回転中心となる回転軸と、
切削刃を有し、
該切削刃は内側切削部が先端を形成し、該先端の角度が１３０度から１６０度であり、
前記切削刃の径方向外側部分は、前記内側切削部に対して軸方向に反対向きに、前記回
転軸に直角な平面に対して２度から８度の角度で傾斜する外側切削部を形成し、該外側切削部と前記先端とが互いに対向配置され、
前記外側切削部が、最も外側の縁まで延設されている筒状のランドとを具備することを特徴とするツイストドリル。
【請求項１３】
（ｉ）ねじれ溝を形成するためにドリルブランクを刻設し、
（ｉｉ）内側切削部が先端を形成し、該先端の角度が１１０度から１６０度である切削刃を該溝の端部に形成し、
（ｉｉｉ）前記内側切削部に対して軸方向に反対向きに傾斜する前記切削刃の径方向外側部分を外側切削部として形成することを特徴とする金属穿孔用のツイストドリルの製造方法。
【請求項１４】
前記先端の角度は、１３０度から１６０度であり、
前記外側切削部は、前記回転軸に直角な平面に対して２度から１０度未満の角度で傾斜していることを特徴とする請求項１３記載のツイストドリルの製造方法。
【請求項１５】
先端の角度が１１０度から１６０度の切削先端部を持つツイストドリルを製造する方法において、
外側切削部を切削刃の外側部分に形成し、該外側切削部は切削刃の内側切削部に対して軸方向に反対向きに傾斜することを特徴とするツイストドリルの製造方法。
【請求項１６】
請求項１〜１２のいずれか一項記載のツイストドリルを使用することを特徴とするラミネート材の穿孔方法。
【請求項１７】
前記ラミネート材は、炭素繊維複合部材層とアルミニウム含有層を含むことを特徴とする請求項１６記載のラミネート材の穿孔方法。
【請求項１８】
前記ラミネート材は、ＣＦＰＲ／Ａｌ材であることを特徴とする請求項１７記載のラミネート材の穿孔方法。
【手続補正２】
【補正対象書類名】明細書
【補正対象項目名】発明の名称
【補正方法】変更
【補正の内容】
【発明の名称】ツイストドリル及びその製造方法
【手続補正３】
【補正対象書類名】明細書
【補正対象項目名】０００８
【補正方法】変更
【補正の内容】
【０００８】
切削刃により可塑化された材料は、通常の「チップ」の動作は行わず、排出面９により直ちに螺旋状溝へ誘導される。そして、回転するドリルの端部である切削刃の外端へ移動することができ、そこで冷却され外バリとなる。バリキャップも同じようなメカニズムで形成される。公知の金属用ツイストドリルで形成された外バリとバリキャップを図３（ａ）に示す。
【手続補正４】
【補正対象書類名】明細書
【補正対象項目名】００１３
【補正方法】変更
【補正の内容】
【００１３】
本発明の第１の態様は、軸部と、使用時にツイストドリルの回転中心となる回転軸と、切削刃を有する切削先端部とを具備し、該切削刃の内側切削部が先端を形成し、該先端の角度が１１０度から１６０度であり、前記切削刃の径方向外側部分は、前記内側切削部に対して軸方向に反対向きに傾斜する外側切削部を含むことを特徴とするツイストドリルである。この構成では、前記傾斜が、通常正の角度を有するとみなされる残りの切削刃（すなわち内側切削部により構成される先端）の傾斜に対して外側切削部は軸方向へ「負」の角度を持っていると考えられる。
好適には、前記軸部は、ツイストドリルを回転する手段と連結される後部取付端を含み、切削先端部はドリルの先端に位置している。また、好適には、外側切削部の径方向外側部分は、外側切削部の径方向内側部分に対して軸方向前方に配置されている。
【手続補正５】
【補正対象書類名】明細書
【補正対象項目名】００４０
【補正方法】変更
【補正の内容】
【００４０】
各切削刃５５、５７の外周部分が外側切削部５９、６１である。外側切削部は、回転軸に直角な平面に対して角度Ｂ、例えば３度、傾斜している。外側切削部の傾斜は先端の角度に対して逆の傾斜なので、外側切削部の角度は負の角度、すなわち−３度とみなすことができる。他の角度でもよく、好適には２度（−２度）を超え、更に好適には２度を超えて１５度までである。
【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
研磨方法において：
ある硬さを有する加工物を提供する工程；
第一面を有する基材と前記基材の第一面上に分布される研磨材複合物の領域とを含む固定研磨材の物品を提供する工程であって、前記研磨材複合物に複合物結合剤と第一の硬さを有する研磨材粒子とが含まれ、前記第一の硬さが前記加工物の硬さより硬い、固定研磨材の物品を提供する工程；
前記複合物結合剤をコンディショニングするのに十分であり、及び前記加工物の硬さより柔らかい第二の硬さを有する、コンディショニング粒子を提供する工程；並びに
前記コンディショニング粒子の存在中で、前記加工物と前記固定研磨材物品を相対的に移動させて、前記複合物結合剤をコンディショニングすると共に前記加工物の表面を修正する工程
を含む方法。
【請求項２】
研磨方法において：
ある硬さを有する加工物を提供する工程；
第一面を有する基材と前記基材の第一面上に分布される研磨材複合物の領域とを含む固定研磨材の物品を提供する工程であって、前記研磨材複合物に複合物結合剤と研磨材粒塊とが含まれ、前記粒塊に第一の硬さの研磨材粒子がマトリックス材と共に含まれ、及び前記第一の硬さが前記加工物の硬さより硬い、固定研磨材の物品を提供する工程；
作動流体とコンディショニング粒子とのスラリーを供給する工程であって、前記粒子が、前記加工物の硬さより柔らかい第二の硬さを有し、及び前記研磨材粒塊のマトリックス材をコンディショニングするのに十分である、作動流体とコンディショニング粒子とのスラリーを供給する工程；並びに
前記スラリーと前記コンディショニング粒子との存在中で、前記加工物と前記固定研磨材物品を相対的に移動させて、前記加工物の表面を修正する工程
を含む方法。
【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
硬度を有するワークピースを磨くための固定研磨物品であって、
（ａ）第１の表面及び第２の表面を有する基材、
（ｂ）コンポジットバインダー及び第一の硬度の研磨剤粒子を含み、該第一の硬度が前記ワークピースの硬度より高い、該基材の該第１の表面の上に配置される、研磨コンポジットの領域、及び
（ｃ）侵食性結合剤及び前記コンポジットバインダーをコンディショニングするのに十分かつ第二の硬度を有するコンディショニング粒子を含み、該第二の硬度が前記ワークピースの硬度より低く前記コンポジットバインダーの硬度を超える、前記基材の前記第１の表面の上に配置される、コンディショニング・アマルガムの領域
を含む固定研磨物品。
【請求項２】
前記研磨剤粒子がマトリクス材とともに粒塊で提供され、所望により前記コンディショニング粒子がマトリクス材をコンディショニングするのに十分である、請求項１に記載の固定研磨物品。
【請求項３】
前記コンディショニング粒子が、前記第一の硬度の前記研磨剤粒子の平均粒子径を下回る平均粒子径を有し、所望により前記コンディショニング粒子が、前記第一の硬度の前記研磨剤粒子の５０％〜９９％の平均粒子径を有する、請求項１に記載の固定研磨物品。
【請求項４】
実質的に前記研磨コンポジットを含まないで、流体チャネルを含んでもよい領域を更に含み、所望により前記研磨コンポジットの領域及び前記コンディショニング・アマルガムの領域が実質的に同一平面上にある、請求項１に記載の固定研磨物品。
【請求項５】
前記マトリクス材が樹脂、ガラス、金属、ガラスセラミック、又はセラミックを含むか、前記研磨剤粒子が、ダイヤモンド又は炭化ケイ素、炭化ホウ素、立方晶窒化ホウ素、或いはそれらの組み合わせを含むか、又は、前記コンディショニング粒子が、アルミナ、コランダム、ジルコニア、セリア、ガラス、又はそれらの組み合わせを含む、請求項１に記載の固定研磨物品。
【請求項６】
前記研磨物品の前記基材及び前記コンポジットバインダーが実質的に同じ材料である、請求項１に記載の固定研磨物品。
【請求項７】
前記粒塊が、サファイアを磨くために好適な研磨剤を含み、一方前記コンディショニング粒子が約２１００ｋｇ／ｍｍ２を下回る硬度を有する、請求項１に記載の固定研磨物品。
【請求項８】
請求項１に記載の硬度を有するワークピースを磨くための固定研磨物品の製造方法であって、
（ａ）第１の表面及び第２の表面を有する基材を提供する工程、
（ｂ）コンポジットバインダー及び研磨剤粒塊を含み、該研磨剤粒塊がマトリクス材とともに第一の硬度の研磨剤粒子を含み、該第一の硬度が前記ワークピースの硬度よりも高い、該基材の該第１の表面の上に配置される研磨コンポジットの領域を提供する工程、及び
（ｃ）侵食性結合剤及び第二の硬度のコンディショニング粒子を含有し、該第二の硬度が前記ワークピースの硬度よりも低く前記研磨剤粒塊の前記マトリクス材をコンディショニングするのに十分である、前記基材の前記第１の表面の上に配置されるコンディショニング・アマルガムの領域を提供する工程
を含む固定研磨物品の製造方法。
【請求項９】
約２５００ｋｇ／ｍｍ２を下回るヌープ硬度を有するワークピースを磨くための固定研磨物品であって、
（ａ）第１の表面及び第２の表面を有する基材、
（ｂ）コンポジットバインダー及び研磨剤粒塊を含有し、該研磨剤粒塊がマトリクス材とともに前記ワークピースの硬度を上回るヌープ硬度を有する研磨剤粒子を含む、該基材の該第１の表面の上に配置される、研磨コンポジットの領域、及び
（ｃ）侵食性結合剤及び前記ワークピースの硬度を下回り前記研磨剤粒塊の前記マトリクス材の硬度より高いヌープ硬度を有するコンディショニング粒子を含有し、前記基材の前記第１の表面の上に配置されるコンディショニング・アマルガムの領域
を含み、所望により前記研磨剤粒子が約２５００ｋｇ／ｍｍ２を上回るヌープ硬度を有する、固定研磨物品。
【請求項１０】
前記研磨コンポジットの領域及び前記コンディショニング・アマルガムの領域が実質的に同一平面上にある、請求項９に記載の研磨物品。
【請求項１１】
流体チャネルをさらに含む、請求項９に記載の固定研磨物品。
【請求項１２】
（１）硬度を有するワークピースを磨くための固定研磨物品であって、
（ａ）第１の表面及び第２の表面を有する基材、
（ｂ）コンポジットバインダー及び研磨剤粒塊を含有し、該研磨剤粒塊がマトリクス材とともに第一の硬度の研磨剤粒子を含み、該第一の硬度が前記ワークピースの硬度より高い、該基材の該第１の表面の上に配置される研磨コンポジットの領域、及び
（ｃ）侵食性結合剤及び第二の硬度のコンディショニング粒子を含有し、該第二の硬度が前記ワークピースの硬度より低く、かつ前記研磨剤粒塊の前記マトリクス材の硬度を超える、前記基材の前記第１の表面の上に配置されるコンディショニング・アマルガムの領域
を含む固定研磨物品、及び所望により
（２）スラリー研磨剤
を含む研磨システム。
【請求項１３】
ワークピースを磨くための固定研磨物品であって、
（ａ）第１の表面及び第２の表面を有する基材、
（ｂ）コンポジットバインダー及び研磨剤粒塊を含有し、該研磨剤粒塊が少なくとも約１８ｋｇ／ｍｍ２の硬度を有するマトリクス材とともに少なくとも約２５００ｋｇ／ｍｍ２の硬度を有する研磨剤粒子を含有する、該基材の該第１の表面の上に配置される研磨コンポジットの領域、及び
（ｃ）侵食性結合剤及びコンポジットバインダーをコンディショニングするのに十分であり、かつ第二の硬度を有するコンディショニング粒子を含有し、該第二の硬度が、２５００ｋｇ／ｍｍ２未満であり、該コンポジットバインダーの硬度とほぼ同じかそれを超え、かつマトリクスの硬度とほぼ同じかそれを超え、要すれば前記コンディショニング粒子が、前記研磨剤粒子の平均粒子径を下回る平均粒子径を有する、前記基材の前記第１の表面の上に配置されるコンディショニング・アマルガムの領域
を含む固定研磨物品。
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
スクリーン研磨材の表面積を画定する外辺部を有する第１の主要表面、第２の主要表面、前記第１の主要表面から前記第２の主要表面に延伸する複数の開口部、及び裏材の前記第１の主要表面の少なくとも一部に固定された研磨層、を有する目の粗いメッシュ裏材を含むスクリーン研磨材であって、前記研磨層が複数の研磨粒子及び少なくとも一つのバインダーを含むスクリーン研磨材、及び
前記目の粗いメッシュ裏材の前記第２の主要表面と係合するポリマー網目であって、前記ポリマー網目が第１の方向に延伸する第１の複数の糸、第２の方向に延伸する第２の複数の糸、及び前記第２の複数の糸の少なくとも一部から突出する複数のフックを含み、前記第１及び第２の複数の糸が互いに貼付し合って前記ポリマー網目の中に複数の開口部を形成するポリマー網目、
を含む研磨物品であって、
前記ポリマー網目の前記開口部が前記スクリーン研磨材の前記開口部と協働して粒子の流れが前記研磨物品を通過することを可能にする、研磨物品。
【請求項２】
前記第１及び第２の糸が、一体である、請求項１に記載の研磨物品。
【請求項３】
前記ポリマー網目の前記開口部が、前記スクリーン研磨表面積の７０〜９０パーセントの範囲である累積開口面積を形成する、請求項１に記載の研磨物品。
【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
表面を有する基板と、
基板の表面へ少なくとも部分的に係留されており、第１の側面、第２の側面、および第１の側面と第２の側面との間の中線を有する固定電極と、
基板の表面の上に可動に懸架された可動電極と、
固定電極に配置された応力緩和機構と、応力緩和機構は第１の側面から第２の側面へ向かって中線を越えて伸びている第１の溝部を備えることと、からなる微小電気機械デバイス。
【請求項２】
絶縁層と絶縁層の上の活性層とを備える基板から微小電気機械デバイスを形成する方法であって、
コーナーを有する第１の電極部分と、第１の電極部分に隣接し、第１の電極部分のコーナーから対角線上に配置されたコーナーを有する第２の電極部分と、第１の電極部分のコーナーおよび第２の電極部分のコーナーを接続しているストリップとを少なくとも有するパターンで、活性層の上方に保護層を形成する保護層形成工程と、ストリップは第１の溝部および第２の溝部によって形成され、パターンへ伸びていることと、
活性層およびその上に保護層の形成されていない絶縁層の部分から材料を除去することによって、溝部の形成された電極を形成する材料除去工程と、からなる方法。